(57)【要約】      （修正有）【課題】作業面と蓋付シンクとを備え、蓋を衛生的に収納することができるとともに効率的に作業をすることができるキッチンカウンタを提供する。【解決手段】作業面２と蓋付シンク３とを備えるキッチンカウンタ１であって、作業面２と蓋付シンク３とが隣接し、作業面２の下側に設けた収納部に収まるように、蓋付シンク３の蓋４が収納部とシンク６との間をスライドする。そして、蓋付シンク３の開口上面より下側に蓋４が位置し、ガイド部７に沿って蓋がスライドする。そして、カラン８が、作業面２と反対側のシンク６の端部付近に設けられている。【選択図】図１
2008022967.tif 000002
【特許請求の範囲】
【請求項１】
作業面と蓋付シンクとを備えるキッチンカウンタであって、作業面と蓋付シンクとが隣接し、作業面の下側に設けた収納部に収まるように、蓋付シンクの蓋が収納部とシンクとの間をスライドすることを特徴とするキッチンカウンタ。
【請求項２】
蓋付シンクの開口上面より下側に蓋が位置し、その両側に設けられたガイド部に沿って蓋がスライドすることを特徴とする請求項１記載のキッチンカウンタ。
【請求項３】
カランが、作業面と反対側のシンクの端部付近に設けられたことを特徴とする請求項１又は２記載のキッチンカウンタ。
【発明の詳細な説明】
【技術分野】
【０００１】
本願発明は、蓋付シンクを備えるキッチンカウンタに関するものである。
【背景技術】
【０００２】
従来から、実開平４−３０４１号公報（特許文献１）に示されるようなキッチンカウンタ１００は知られている。このキッチンカウンタ１００は図３に示すように、上面にシンク１０１を有し、このシンク１０１にスライド式に開閉自在な蓋１０２を装着している。この蓋１０２を閉じることで、シンク１０１の美観及び衛生面を良好に保てると共に、蓋１０２を作業面として使用することができた。
【特許文献１】実開平４−３０４１号公報
【発明の開示】
【発明が解決しようとする課題】
【０００３】
しかしながら、実開平４−３０４１号公報に示される上記従来例のキッチンカウンタ１００にあっては、蓋１０２を開けた状態であっても蓋１０２の上面が露出しているため衛生面において問題があった。又、蓋１０２を開けて作業面として使用している場合に蓋１０２を閉めると、蓋１０２の上に置かれている物も一緒に移動してしまうため、置かれている物を一端除けたり位置を調整したりする必要があった。
【０００４】
本願発明は上記背景技術に鑑みて発明されたものであり、その課題は、作業面と蓋付シンクとを備え、蓋を衛生的に収納することができるとともに効率的に作業をすることができるキッチンカウンタを提供することである。
【課題を解決するための手段】
【０００５】
上記課題を解決するために、本願請求項１記載の発明では、作業面と蓋付シンクとを備えるキッチンカウンタであって、作業面と蓋付シンクとが隣接し、作業面の下側に設けた収納部に収まるように、蓋付シンクの蓋が収納部とシンクとの間をスライドすることを特徴とする。
【０００６】
又、本願請求項２記載の発明では、上記請求項１記載のキッチンカウンタにおいて、蓋付シンクの開口上面より下側に蓋が位置し、その両側に設けられたガイド部に沿って蓋がスライドすることを特徴とする。
【０００７】
又、本願請求項３記載の発明では、上記請求項１又は２記載のキッチンカウンタにおいて、カランが、作業面と反対側のシンクの端部付近に設けられたことを特徴とする。
【発明の効果】
【０００８】
本願請求項１記載の発明のキッチンカウンタにおいては、作業面と蓋付シンクとを備えるキッチンカウンタであって、作業面と蓋付シンクとが隣接し、作業面の下側に設けた収納部に収まるように、蓋付シンクの蓋が作業面とシンクとの間をスライドするため、蓋を閉じた場合にはその上を作業面として使用することができる。又、蓋を開けている場合は蓋が収納部に収まるため、蓋を衛生的に保護することができる。又、作業面において作業をしている場合でも、蓋を開閉するにあたって作業面上の物は移動させる必要が無いため、効率的に作業をすることができる。
【０００９】
本願請求項２記載の発明のキッチンカウンタにおいては、特に、蓋付シンクの開口上面より下側に蓋が位置し、その両側に設けられたガイド部に沿って蓋がスライドするので、蓋を閉じることで蓋を作業面として使用する場合は、その部分は凹部となる。よって、水気を伴う作業をする場合において、水分がキッチンカウンタより外に漏れるのを防ぐことができる。又、作業面からシンクまでの間にガイド部が設けられ、このガイド部に沿って蓋がスライドするので、蓋が不用意に外れてしまうことがなく、容易に開閉させることができる。
【００１０】
本願請求項３記載の発明のキッチンカウンタにおいては、特に、カランが、作業面と反対側のシンクの端部付近に設けられているため、蓋がある程度閉じられていてもカランを利用することができる。又、蓋を閉じることで蓋を作業面として使用する場合はカランが邪魔にならないので、快適に作業をすることができる。
【発明を実施するための最良の形態】
【００１１】
以下、本願発明を添付図面に示す実施形態に基づいて説明する。
【００１２】
図１〜２は、本願請求項１〜３に対応した一実施形態であるキッチンカウンタ１を示している。
【００１３】
このキッチンカウンタ１は、作業面２と蓋付シンク３とを備えるキッチンカウンタ１であって、作業面２と蓋付シンク３とが隣接し、作業面２の下側に設けた収納部５に収まるように、蓋付シンク３の蓋４が収納部５とシンク６との間をスライドする。又、蓋付シンク３の開口上面より下側に蓋４が位置し、ガイド部７に沿って蓋４がスライドする。又、カラン８が、作業面２と反対側のシンク６の端部付近に設けられている。
【００１４】
以下、この実施形態のキッチンカウンタ１をより具体的詳細に説明する。
【００１５】
このキッチンカウンタ１は、図１、２に示すように左右方向に長い板状であり、ＩＨクッキングヒータ９が端部付近に、蓋付シンク３が他端付近に、設けられている。そして、ＩＨクッキングヒータ９と蓋付シンク３との間には作業面２が設けられている。そして、作業面２と反対側のシンク６の端部の後側にはカラン８が設けられている。
【００１６】
蓋付シンク３は、シンク６とこのシンク６の開口面を塞ぐための蓋４からなる。この蓋４は左右方向に長い板状であり、蓋付シンク３の開口上面より下側に位置し、シンク６の開口面を完全に塞ぐ程の大きさを有する。蓋４の作業面２と反対側の端部付近には使用者が蓋４をスライドさせるための握り手１０が設けられている。この握り手１０は蓋４の一部を前後方向に長い開口部１１を設けることで形成されている。
【００１７】
作業面２の下側には蓋４を収納するための収納部５が設けられている。この収納部５は、蓋４が握り手１０を残して収まる程度の大きさを有する。
【００１８】
作業面２とシンク６との前後方向両端部にはガイド部７として溝が設けられ、この溝に沿って蓋４はスライドする。
【００１９】
したがって、この実施形態のキッチンカウンタ１においては、作業面２と蓋付シンク３とが隣接し、作業面２の下側に設けた収納部５に収まるように、蓋付シンク３の蓋４が作業面２とシンク６との間をスライドするため、作業面２自体は動作することが無く、安定して作業面２において調理等の作業をすることができる。又、蓋４を閉じた場合にはその上を作業面２として使用することができる。又、蓋４を開けている場合は蓋４が収納部５に収まるため、蓋４を衛生的に保護することができる。又、作業面２において作業をしている場合でも、蓋４を開閉するにあたって作業面上の物は移動させる必要が無いため、効率的に作業をすることができる。
【００２０】
又、蓋付シンク３の開口上面より下側に蓋４が位置し、ガイド部７に沿って蓋４がスライドするので、蓋４を閉じることで蓋４を作業面２として使用する場合は、その部分は凹部となる。よって、水気を伴う作業をする場合において、水分がキッチンカウンタ１より外に漏れるのを防ぐことができる。そして、蓋４に溜まった水分は握り手１０の開口部１１からシンク６に流すことが可能となる。
【００２１】
又、作業面２からシンク６までの間にガイド部７である溝が設けられ、この溝に沿って蓋４がスライドするので、蓋４が不用意に外れてしまうことがなく、容易に開閉させることができる。
【００２２】
又、カラン８が、作業面２と反対側のシンク６の端部付近に設けられているため、蓋４がこの他端側にある程度スライドされていても、カラン８を利用することができる。又、蓋４を閉じることで蓋４を作業面２として使用する場合はカラン８が邪魔にならないので、快適に作業をすることができる。
【００２３】
なお、本実施形態においては、収納部５の大きさは蓋４が握り手１０を残して収まる程度としたが、握り手１０の開口部１１を残して収まる程度の大きさでも良い。
【図面の簡単な説明】
【００２４】
【図１】本願発明の一実施形態であるキッチンカウンタを示す平面図。
【図２】同キッチンカウンタを示す縦断面図。
【図３】従来例であるキッチンカウンタを示す斜視図。
【符号の説明】
【００２５】
１  キッチンカウンタ
２  作業面
３  蓋付シンク
４  蓋
５  収納部
６  シンク
７  ガイド部
８  カラン
９  ＩＨクッキングヒータ
１０  握り手
１１  握り手開口部
【図１】
2008022967.tif 000003
【図２】
2008022967.tif 000004
【図３】
2008022967.tif 000005